(57)【要約】【課題】製造工程上の負担を軽減することが可能な電気泳動表示装置及び電子機器を提供すること。【解決手段】素子領域を有する素子基板と、前記素子基板に対向して配置され、前記素子基板側の面に共通電極を有する対向基板と、前記素子基板と前記対向基板とで挟持された電気泳動層とを備え、前記共通電極と前記素子基板とが前記電気泳動層を介さずに対向する接続領域を複数有し、前記共通電極は、少なくとも１つの前記接続領域において前記素子基板に電気的に接続されていることを特徴とする。【選択図】図１
2010085619.tif 000002
【特許請求の範囲】
【請求項１】
素子領域を有する素子基板と、
前記素子基板に対向して配置され、前記素子基板側の面に共通電極を有する対向基板と、
前記素子基板と前記対向基板とで挟持された電気泳動層と
を備え、
前記共通電極と前記素子基板とが前記電気泳動層を介さずに対向する接続領域を複数有し、
前記共通電極は、少なくとも１つの前記接続領域において前記素子基板に電気的に接続されている
ことを特徴とする電気泳動表示装置。
【請求項２】
前記電気泳動層が配置された領域に表示領域を有し、
前記共通電極における、一の前記接続領域と他の前記接続領域との間の導通経路には、前記表示領域が含まれる
ことを特徴とする請求項１に記載の電気泳動表示装置。
【請求項３】
前記対向基板は、平面視で矩形に形成されており、
複数の前記接続領域は、前記対向基板の一辺に沿って設けられている
ことを特徴とする請求項１又は請求項２に記載の電気泳動表示装置。
【請求項４】
前記素子基板は、前記接続領域に平面視で重なる位置に導通部を有する
ことを特徴とする請求項１から請求項３のいずれか一項に記載の電気泳動表示装置。
【請求項５】
前記接続領域は、前記対向基板の一辺から張り出した張出部分に設けられている
ことを特徴とする請求項１から請求項４のいずれか一項に記載の電気泳動表示装置。
【請求項６】
前記対向基板、前記共通電極及び前記電気泳動層は、前記対向基板の一辺とは異なる３辺において面一状態になっている
ことを特徴とする請求項５に記載の電気泳動表示装置。
【請求項７】
前記素子基板のうち平面視で前記電気泳動層から外れた位置には、装置外部に電気的に接続される外部接続部が設けられており、
複数の前記張出部分は、前記電気泳動層に対して前記外部接続部側へ突出している
ことを特徴とする請求項５又は請求項６に記載の電気泳動表示装置。
【請求項８】
前記素子基板は、平面視矩形に形成されており、
前記外部接続部は、前記素子基板の一辺に沿って設けられている
ことを特徴とする請求項７に記載の電気泳動表示装置。
【請求項９】
複数の前記張出部分は、平面視で前記外部接続部を挟む位置に設けられている
ことを特徴とする請求項７又は８に記載の電気泳動表示装置。
【請求項１０】
前記外部接続部は、前記素子基板の一辺の方向における中央部に配置されており、
複数の前記張出部分は、前記一辺の方向における両端部に配置されている
ことを特徴とする請求項９に記載の電気泳動表示装置。
【請求項１１】
請求項１から請求項１０のうちいずれか一項に記載の電気泳動表示装置を搭載したことを特徴とする電子機器。
【発明の詳細な説明】
【技術分野】
【０００１】
本発明は、電気泳動表示装置及び電子機器に関する。
【背景技術】
【０００２】
近年、電子ペーパーなどの表示部として、電気泳動表示装置が用いられるようになっている。電気泳動表示装置は、液相分散媒に複数の電気泳動粒子が分散された電気泳動分散液を有する構成になっている。電気泳動表示装置は、電界を印加することで該電気泳動粒子の分布状態が変化し、該電気泳動分散液の光学特性が変化することを表示に利用した装置である。電気泳動表示装置の具体的な構成としては、素子基板の表示領域に電気泳動シートが貼り付けられ、当該電気泳動シート上に保護基板が貼り合わされた構成が知られている。
【０００３】
素子基板は、例えばガラスなどからなる基板上の表示領域に、複数の画素電極や素子が形成された構成になっている。電気泳動シートは、ＩＴＯなどからなる共通電極が全面に蒸着された透明シート上に電気泳動層及び接着層が全面に形成された構成になっている。電気光学層としては、例えば、電気泳動粒子及び当該電気泳動粒子を分散させる液層分散媒が封入されたマイクロカプセルを当該シート一面に敷き詰めた構成が挙げられる。素子基板と共通電極との間は、素子基板上に配置される上下導通材によって接続される構成が一般的である。ここで、共通電極の一部は、素子基板との間に電気泳動層を介さずに対向する接続領域を有しており、接続領域において上下導通材と共通電極との間が電気的に接続されるようになっている。
【０００４】
上記接続領域において、共通電極と素子基板とを電気泳動層を介さずに対向させるために、電気泳動シートから電気泳動層の一部を除去する工程が必要となる。この工程では、透明シート上の共通電極（ＩＴＯ）を切断しないように電気泳動層のみを切断することが求められる。  
【特許文献１】特開２００５−２５７７５５号公報
【発明の開示】
【発明が解決しようとする課題】
【０００５】
しかしながら、共通電極は、電気泳動層が切除される接続領域を除くと、絶縁性の電気泳動層に覆われている。このため、共通電極のうち、接続領域とその他の領域との間で導通が保たれているか否かを検査するのは困難であるという課題がある。このため、上記導通が保たれているか否かを判定するためには、電気泳動表示装置を完成させて実際に駆動させてみる必要があり、電気泳動表示装置の製造歩留りの低下を招いていた。
【０００６】
以上のような事情に鑑み、本発明の目的は、共通電極の導通を容易に検査することが可能な電気泳動表示装置及び電子機器を提供することにある。
【課題を解決するための手段】
【０００７】
上記目的を達成するため、本発明に係る電気泳動表示装置は、素子領域を有する素子基板と、前記素子基板に対向して配置され、前記素子基板側の面に共通電極を有する対向基板と、前記素子基板と前記対向基板とで挟持された電気泳動層とを備え、前記共通電極と前記素子基板とが前記電気泳動層を介さずに対向する接続領域を複数有し、前記共通電極は、少なくとも１つの前記接続領域において前記素子基板に電気的に接続されていることを特徴とする。
【０００８】
本発明によれば、共通電極と素子基板とが電気泳動層を介さずに対向する接続領域を複数有し、共通電極が少なくとも１つの接続領域において素子基板に電気的に接続されていることとしたので、製造工程においては、当該接続領域についてのみ電気泳動層を除去すれば済むことになる。導通検査に関しては、共通電極のうち複数の接続領域を用いて導通検査を行うことができるため、共通電極の導通を容易に検査することが可能な電気泳動表示装置を得ることができる。
【０００９】
上記の電気泳動表示装置は、前記対向基板は、平面視で矩形に形成されており、複数の前記接続領域は、前記対向基板の一辺に沿って設けられていることを特徴とする。  
本発明によれば、対向基板が平面視で矩形に形成されており、複数の接続領域が対向基板の一辺に沿って設けられていることとしたので、素子基板との接続領域を対向基板の一辺に沿った一部の領域に集約することができる。これにより、額縁領域の面積を確実に小さくすることができる。
【００１０】
上記の電気泳動表示装置は、前記素子基板は、前記接続領域に平面視で重なる位置に導通部を有することを特徴とする。  
本発明によれば、素子基板が接続領域に平面視で重なる位置に導通部を有することとしたので、当該導通部を介して共通電極と素子基板との電気的導通を図ることができる。
【００１１】
上記の電気泳動表示装置は、前記接続領域は、前記対向基板の一辺から張り出した張出部分に設けられていることを特徴とする。  
本発明によれば、接続領域が対向基板の一辺から張り出した張出部分に設けられていることとしたので、製造工程においては、当該張出部分についてのみ電気泳動層を除去すれば済む。このため、製造工程上の負担を軽減することができる。導通検査に関しては、共通電極のうち複数の張出部分に露出する部分を用いて導通検査を行うことができるため、導通検査が極めて容易となる。
【００１２】
上記の電気泳動表示装置は、前記対向基板、前記共通電極及び前記電気泳動層は、前記対向基板の一辺とは異なる３辺において面一状態になっていることを特徴とする。  
本発明によれば、対向基板の一辺とは異なる３辺において、対向基板、共通電極及び電気泳動層が面一状態になっていることとしたので、電気泳動層が設けられる領域を最大限に有効活用することができる。これにより、額縁領域の面積を小さくすることができる。
【００１３】
上記の電気泳動表示装置は、前記素子基板のうち平面視で前記電気泳動層から外れた位置には、装置外部に電気的に接続される外部接続部が設けられており、複数の前記張出部分は、前記電気泳動層に対して前記外部接続部側へ突出していることを特徴とする。  
本発明によれば、装置外部に電気的に接続される外部接続部が素子基板のうち平面視で電気泳動層から外れた位置に設けられており、複数の張出部分が電気泳動層に対して外部接続部側へ突出していることとしたので、素子基板上において外部接続部の領域と上下導通の領域とをまとめて配置させることができる。これにより、額縁領域の面積を一層小さくすることができる。
【００１４】
上記の電気泳動表示装置は、前記素子基板は、平面視矩形に形成されており、前記外部接続部は、前記素子基板の一辺に沿って設けられていることを特徴とする。  
本発明によれば、素子基板が平面視矩形に形成されており、外部接続部が素子基板の一辺に沿って設けられていることとしたので、外部接続部及び張出部分に用いられるスペースをより節約することができる。
【００１５】
上記の電気泳動表示装置は、複数の前記張出部分は、平面視で前記外部接続部を挟む位置に設けられていることを特徴とする。  
本発明によれば、複数の張出部分が平面視で外部接続部を挟む位置に設けられていることとしたので、外部接続部と複数の張出部分とを例えば一直線状に配置させることができる。これにより、外部接続部及び張出部分に用いられるスペースを節約することができる。
【００１６】
上記の電気泳動表示装置は、前記外部接続部は、前記素子基板の一辺の方向における中央部に配置されており、複数の前記張出部分は、前記一辺の方向における両端部に配置されていることを特徴とする。  
本発明によれば、外部接続部が素子基板の一辺の方向における中央部に配置されており、複数の張出部分が素子基板の一辺の方向における両端部に配置されていることとしたので、外部接続部及び張出部分を効率的に配置させることができ、スペースの節約を図ることができる。
【００１７】
本発明に係る電子機器は、上記の電気泳動表示装置を搭載したことを特徴とする。  
本発明によれば、共通電極の導通を容易に検査することができ、製造工程上の負担を軽減される電気泳動表示装置を搭載したものであるため、製造コストが低い低価格の電子機器を得ることができる。
【発明を実施するための最良の形態】
【００１８】
［第１実施形態］  
以下、図面を参照して本発明の第１実施形態を説明する。  
図１は本実施形態に係る電気泳動表示装置１の概略構成を示す平面図である。図２は、図１におけるＡ−Ａ断面に沿った構成を示す図である。
【００１９】
図１及び図２に示すように、電気泳動表示装置１は、素子基板２、電気泳動シート３、保護基板４、接続基板５及び封止部６を備えている。電気泳動表示装置１は、素子基板２に電気泳動シート３が貼り付けられた構成になっている。電気泳動シート３上には保護基板４が配置されており、素子基板２のうち電気泳動シート３と反対面側には接続基板５が配置されている。これら各基板の周縁部には封止部６が形成されている。
【００２０】
素子基板２は、基材２０、素子形成層２１及び電極（外部接続部）２２を有している。基材２０は、例えば３０μｍ〜１００μｍ程度の厚さを有する板状部材である。基材２０の構成材料としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００２１】
素子形成層２１は、基材２０の内面２０ａのうち平面視で電気泳動シート３に重なる領域に設けられた層である。素子形成層２１は、絶縁層２４、画素電極２５及びスイッチング素子２６を有している。画素電極２５は、平面視で例えばマトリクス状に配置された電極である。スイッチング素子２６は、画素電極２５ごとに設けられた素子である。スイッチング素子２６には、不図示のデータ線及び走査線などが接続されている。絶縁層２４は、これら各部を覆うように基材２０上に形成されている。
【００２２】
電極２２は、基材２０の内面２０ａ上のうち平面視で電気泳動シート３から外れた領域に設けられている。電極２２は基材２０のうち一辺側、図１では右辺側に、当該一辺に沿って複数配列されている。電極２２は、基材２０の当該一辺の方向における平面視中央部に配置されている。電極２２には不図示の配線群が接続されている。当該配線群は、例えば上記走査線やデータ線などに接続されている。
【００２３】
電気泳動シート３は透明基板（対向基板）３０、共通電極３５、電気泳動層３１及び接着層３３を有している。  
透明基板３０は電気泳動層３１を保持する基板であり、例えば２５μｍ〜２００μｍ程度の厚さを有している。透明基板３０の構成材料としては、例えばポリエチレンテレフタレート（ＰＥＴ）、ポリエーテルスルホン（ＰＥＳ）、ポリカーボネイト（ＰＣ）など光透過性の高い材料などが挙げられる。例えば透明基板３０の表面３０ａには、不図示の防湿シートなどが配置されていても構わない。
【００２４】
共通電極３５は例えばＩＴＯなどの光透過性の高い導電材料で構成された電極である。共通電極３５は透明基板３０の内面３０ｂのほぼ全面に亘って形成されている。共通電極３５には上下導通材１０が接続されている。上下導通材１０は素子基板２に電気的に接続されている。共通電極３５は、上下導通材１０を介して素子基板２に電気的に接続された状態になっている。
【００２５】
電気泳動層３１は、複数のマイクロカプセル３２を有している。  
マイクロカプセル３２は電気泳動分散液が封入された略球状のカプセルであり、各カプセルの直径はほぼ同一（３０μｍ〜１００μｍ）になっている。マイクロカプセル３２のカプセル壁膜を構成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液層分散媒とからなる。
【００２６】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、又はこれらの混合物に界面活性剤等を配合したものを用いることができる。
【００２７】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００２８】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００２９】
接着層３３は、バインダを兼ねた接着剤である。接着層３３としては、例えばマイクロカプセル３２のカプセル壁膜に対する親和性が良好で、共通電極および画素電極に対する接着性に優れ、かつ絶縁性の良い接着剤を用いることが好ましい。
【００３０】
上記透明基板３０は、図１及び図２に示すように、平面視で電気泳動層３１から外れた領域へ張り出した張出部分３０ｃを有している。張出部分３０ｃは、電極２２が形成された部分へ向けて突出するように形成されている。張出部分３０ｃは、透明基板３０の一辺側に例えば２つ設けられている。２つの張出部分３０ｃは、透明基板３０の当該一辺方向の端部（角部）に１つずつ配置されており、平面視で電極２２を挟むように一辺方向の一直線上に配置されている。透明基板３０、共通電極３５及び電気泳動層３１は、張出部分３０ｃが設けられた辺とは異なる３辺において面一状態に形成されている。
【００３１】
上記共通電極３５は、張出部分３０ｃ上においても形成されている。共通電極３５のうち張出部分３０ｃ以外の部分に形成される部分は、電気泳動層３１によって覆われている。一方、共通電極３５のうち張出部分３０ｃ上に形成された部分は電気泳動層３１に覆われておらず、露出した状態になっている。換言すれば、共通電極３５と素子基板２とが電気泳動層３１を介さずに対向している。以下、共通電極３５のうち張出部分３０ｃ上に形成された部分を「露出部分３５ａ」と表記する。露出部分３５ａは、「接続領域」の一態様である。
【００３２】
２つの張出部分３０ｃに設けられた各露出部分３５ａは、素子基板２との間で電気的に接続されている。素子基板２には、張出部分３０ｃに平面視で重なる位置に上下導通材１０が設けられている。上下導通材１０としては、例えば銅ペーストや銀ペーストなどの金属ペースト、銅板などの金属板、導電粒子を含む接着剤など、導電性を有する材料を広く用いることができる。
【００３３】
保護基板４は、透明基板３０の表面３０ａに配置された基板である。保護基板４の構成材料としては、光透過性が高く、平坦度が優れ、キズつきにくい材料、例えばアクリル樹脂などが挙げられる。アクリル樹脂の他には、例えばガラスなどが適している。具体的には、無機ガラスや、クリスタルガラス、サファイヤガラスや、アクリルガラスなどを用いることができる。保護基板４は素子基板２及び透明基板３０と共に電気泳動層３１を覆う構成になっており、当該構成によって電気泳動層３１に水分の浸入がより確実に防止されるようになっている。
【００３４】
接続基板５は、基材５０及び電極５１を有している。接続基板５は、保護基板４の平面視での寸法と同一の寸法を有しており、保護基板４に平面視で重なる位置に設けられている。基材５０は、素子基板２の基材２０の表面２０ｂ上に配置された矩形の板状部材である。基材５０の構成材料としては、例えばガラスエポキシなどが挙げられる。電極５１は、基材５０の一辺側、例えば図１においては右辺側に複数配列されている。電極５１は、素子基板２の電極２２に対応するように配置されている。電極５１と電極２２との間はワイヤーボンディング５２によって接続されている。
【００３５】
封止部６は電気泳動層３１を封止する部分である。封止部６は、保護基板４と、素子基板２と、接続基板５とで囲まれる空間であって、電気泳動シート３の周囲を埋めるように設けられている。封止部６の構成材料としては、例えばエポキシ樹脂などの樹脂材料が挙げられる。
【００３６】
上記の電気泳動表示装置１は、平面視で画素電極２５の配列された領域が表示領域７となっている。表示領域７では、平面視における各画素電極２５の形成領域が画素領域となっており、画素領域ごとに静止画や動画等の画像が表示されるようになっている。表示領域７の周囲は、画像が表示されない非表示領域８となっている。
【００３７】
次に、上記のように構成された電気泳動表示装置１の動作を簡単に説明する。  
画素電極２５と共通電極３５との間に共通電極３５の電圧が相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域７にはこの白色の電気泳動粒子の色（白色）が表示されることとなる。
【００３８】
逆に、画素電極２５と共通電極３５との間に画素電極２５の電位が相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域７には黒色の電気泳動粒子の色（黒色）が表示されることとなる。
【００３９】
次に、上記のように構成された電気泳動表示装置１の製造工程を簡単に説明する。  
電気泳動表示装置１は、大判の基板を用いて複数の電気泳動表示装置の集合体を形成し、当該集合体を切断することによって個片化する、いわゆる多面取りと呼ばれる手法によって製造される。
【００４０】
電気泳動表示装置１の集合体を形成する際、素子基板２の集合体であるマザーガラス基板の素子形成層２１上に電気泳動シート３を貼り付けるようにする。このとき、電気泳動表示装置１に設けられる寸法に切断された状態の電気泳動シート３を用いる。したがって、電気泳動シート３については、予め形成しておく必要がある。
【００４１】
電気泳動シート３は、大判の電気泳動シートを所望の形状に切断することによって形成される。本実施形態では、まず、図３に示すように、張出部分３０ｃを有するように大判の電気泳動シートを切断し、電気泳動シート３を得る。切断直後の電気泳動シート３は透明基板３０の張出部分３０ｃ上に電気泳動層３１が付着した状態になっているため、次の工程として、図４に示すように、当該張出部分３０ｃ上の電気泳動層３１を除去し張出部分３０ｃに共通電極３５の一部を露出させる。具体的には、透明基板３０及び共通電極３５を傷つけないように、電気泳動シート３のうち接着層３３及び電気泳動層３１のみをカット（ハーフカット）し、当該ハーフカットした部分を拭き取りによって除去する。
【００４２】
本実施形態では、ハーフカットの箇所及び電気泳動層３１の除去範囲が張出部分３０ｃ上のみであるため、例えば透明基板３０の一辺全体についてハーフカットないし電気泳動層３１の除去を行う場合に比べて、容易に作業を進めることができる。このようにして電気泳動シート３に露出部分３５ａが形成される。
【００４３】
電気泳動層３１の除去工程では、共通電極３５のうち露出部分３５ａと電気泳動層３１に覆われた部分との間が切断されてしまう可能性がある。両者が切断されたまま電気泳動表示装置１に搭載されてしまうと、共通電極３５に電気信号を供給することができなくなってしまう。そこで、露出部分３５ａを形成した後、電気泳動シート３の導通検査を行うようにする。
【００４４】
導通検査においては、図５に示すように、２つの露出部分３５ａに端子を当接させ、当該２つの露出部分３５ａの間の導通を検出する。露出部分３５ａを利用することで容易に導通検査を行うことができるため、例えば一方の端子を電気泳動シート３の側面部分などに当接させて検査を行う場合に比べて、当該導通検査における負担が著しく軽減されることとなる。
【００４５】
また、この導通検査は、共通電極３５の破壊検査を兼ねている。例えば電気泳動層３１の除去工程において、共通電極３５のうち露出部分３５ａと、電気泳動層３１に覆われている部分とが切断されてしまっている場合、２つの露出部分３５ａの間では導通が無い状態として検出される。両者の間が電気的に接続されている場合、２つの露出部分３５ａの間で導通がある状態として検出される。このため、導通が認められる場合には、両者の間では破壊された部分が発生しておらず、問題無い状態であると判断することができる。また、導通が無い場合には、両者の間が断絶されていると判断することができる。そして、共通電極３５における、一の露出部分３５ａ（接続領域）と他の露出部分３５ａ（接続領域）との間の導通経路には、表示領域７（図１）が含まれる。このため、後に素子基板２と導通される露出部分３５ａが、表示領域に位置する共通電極３５と導通されていることを確認することができる。
【００４６】
導通検査の後、電気泳動シート３をマザーガラス基板に貼り付ける。マザーガラス基板には、電極２２及び上下導通材１０を予め形成しておく。貼り付けの際、２つの張出部分３０ｃがマザーガラス基板に形成される電極２２の形成領域を挟むように位置合わせをし、位置合わせ後、接着層３３を介して電気泳動シート３をマザーガラス基板に貼り付ける。張出部分３０ｃに形成された露出部分３５ａはそれぞれ上下導通材１０に接続され、共通電極３５とマザーガラス基板（素子基板２に対応）とが電気的に接続される。
【００４７】
このように、本実施形態によれば、透明基板３０が平面視で電気泳動層３１から外れた領域に突出する複数の張出部分３０ｃを有し、複数の張出部分３０ｃには共通電極３５の一部が露出した露出部分３５ａが設けられていることとしたので、電気泳動表示装置１の製造工程において電気泳動シート３を製造する際には、当該張出部分３０ｃについてのみ電気泳動層３１を除去すれば済むため、製造工程上の負担を軽減することができる。電気泳動シート３の導通検査に関しては、共通電極３５の露出部分３５ａを用いて導通検査を行うことができるため、当該導通検査が極めて容易となる。この点においても、製造工程上の負担を軽減することが可能となる。
【００４８】
また、本実施形態によれば、共通電極３５の露出部分３５ａ介して素子基板２に電気的に接続されていることとしたので、例えば透明基板３０の一辺全体が素子基板２に電気的に接続される構成に比べて、素子基板２との電気的な接続部分の面積を小さくすることが可能となる。これにより、電気泳動表示装置１の額縁領域の面積を抑えることができる。
【００４９】
［第２実施形態］  
次に、図６及び図７を参照して、本発明の第２実施形態を説明する。第１実施形態と同様、図６及び図７では、各部材を認識可能な大きさとするため、縮尺を適宜変更している。また、第１実施形態と同一の構成要素については、同一の符号を付してその説明を省略する。
【００５０】
図６は、本実施形態に係る電気泳動表示装置１の構成を示す平面図である。図７は、図６におけるＢ−Ｂ断面に沿った構成を示す図である。  
図６及び図７に示すように、本実施形態では、電気泳動表示装置１の表示領域７内に貫通孔１１が設けられた構成になっている点で、第１実施形態とは異なっている。他の構成については、第１実施形態と同一になっている。本実施形態の電気泳動表示装置１は、例えば時計の文字盤として用いられる。貫通孔１１は、時計の針を貫通させるために設けられている。
【００５１】
図７に示すように、貫通孔１１の内面には貫通孔封止部材１１０が設けられている。当該貫通孔封止部材１１０によって貫通孔１１内部から電気泳動シート３側に水分等が浸入しないように封止されている。
【００５２】
貫通孔封止部材１１０に沿った領域（周囲領域）Ｔ内は、電気泳動層３１を構成するマイクロカプセル３２が配置されていない構成になっており、当該周囲領域Ｔが非表示領域８の一部となっている。したがって、透明基板３０のうち周囲領域Ｔ内に設けられる部分３０ｃは、非表示領域８に張り出した構成となっている（張出部分３０ｃ）。周囲領域Ｔにおいては、張出部分３０ｃｄの内面にも共通電極３５が形成されている。周囲領域Ｔにはマイクロカプセル３２が設けられていないため、周囲領域Ｔ内の共通電極３５は、電気泳動層３１に対して露出した状態になっている（露出部分３５ｂ）。
【００５３】
本実施形態において、電気泳動シート３の張出部分３０ｃｄ及び露出部分３５ｂを形成する際には、第１実施形態と同様、接着層３３及び電気泳動層３１をハーフカットによって切断して除去する。その後、露出部分３５ｂと、例えば露出部分３５ａの一方とに端子を当接させて導通検査を行い、良好な結果が得られた場合には当該電気泳動シート３をマザー基板に貼り付けるようにする。
【００５４】
このように、表示領域７の内部に非表示領域８が設けられており、当該内部の非表示領域８において透明基板３０の張出部分３０ｃｄ及び共通電極３５の露出部分３５ｂが設けられる構成であっても、一の露出部分と他の露出部分との間の導通経路には、表示領域７が含まれるため、露出部分が、表示領域７に位置する共通電極３５と導通されていることを確認することができる。これにより、導通検査を容易に行うことができ、製造工程における負担が軽減されることになる。
【００５５】
［第３実施形態］  
次に、図８〜図１０を参照して、本発明の第３実施形態を説明する。本実施形態では、上記各実施形態の電気泳動表示装置１を、各種電子機器に適用した場合について説明する。
【００５６】
図８は、腕時計１０００の正面図である。腕時計１０００は、時計ケース１００２と、時計ケース１００２に連結された一対のバンド１００３とを備えている。  
時計ケース１００２の正面には、上記実施形態の電気泳動表示装置１００からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００５７】
図９は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【００５８】
図１０は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００５９】
以上の腕時計１０００、電子ペーパー１１００、及び電子ノート１２００によれば、製造工程上の負担を軽減される電気泳動表示装置１を搭載したものであるため、製造コストが低い低価格の電子機器を得ることができる。
【００６０】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【００６１】
本発明の技術範囲は上記実施形態に限定されるものではなく、本発明の趣旨を逸脱しない範囲で適宜変更を加えることができる。  
上記実施形態においては、透明基板３０の張出部分３０ｃが、当該透明基板３０の一辺の辺方向端部に１つずつ、計２つ設けられた構成を例示したが、これに限られることは無く、例えば図１１に示すように、一辺に３つの張出部分３０ｃを配置する構成であっても構わない。また、図示を省略するが、一辺に４つ以上の張り出し部分３０ｃを配置する構成であっても勿論構わない。
【００６２】
図１１に示す構成では、３つ目の張出部分３０ｃが透明基板３０の一辺における辺方向中央部に配置されている。当該中央部の張出部分３０ｃは、電極２２が配列されている領域よりも表示領域７側に配置されている。張出部分３０ｃには、上記各実施形態と同様に共通電極３５の露出部分３５ａが形成されている。当該露出部分３５ａは、例えば素子基板２上に配置された上下導通材１０によって当該素子基板２に接続されている。
【００６３】
電気泳動シート３の製造時の導通検査においては、例えば３つの露出部分３５ａのうち２つを選択し、選択した２つの露出部分３５ａに端子を当接させて導通の確認を行うようにする。その後、選択する２つの露出部分３５ａの組み合わせを変更させることにより、全ての露出部分３５ａについて導通を確認することができる。また、３つの露出部分３５ａに対して直列に接続されるように端子を当接させることもできる。
【００６４】
また、上記実施形態においては、複数の張出部分３０ｃが透明基板３０の一辺に設けられた構成としたが、これに限られることは無く、例えば複数の張出部分３０ｃが透明基板３０の異なる辺に設けられている構成であっても構わない。
【００６５】
また、上記実施形態においては、複数の張出部分３０ｃが電気泳動シート３に対して電極２２の配置されている側に張り出している構成としたが、これに限られることは無く、例えば電極２２の配置されている側とは異なる側に張り出している構成としても勿論構わない。
【００６６】
また、上記実施形態においては、共通電極３５の露出部分３５ａが透明基板３０から張り出している構成を説明したが、これに限られることは無く、例えば露出部分３５ａが透明基板３０から張り出していない構成とすることもできる。このような場合の例として、例えば図１２〜図１４に示すように、電気泳動シート３のうち１つの辺に沿った２つの角の部分において電気泳動層３１のみを除去した構成が挙げられる。
【００６７】
図１２は電気泳動表示装置１の構成を示す平面図であり、図１３は電気泳動表示装置１の構成を示す断面図である。図１４は、電気泳動シート３の構成を示す平面図であり、導通検査の様子を示す図である。図１２〜図１４に示す構成においては、電気泳動シート３自体は矩形であり、２つの露出部分３５ａにおいて共通電極３５の一部が露出しているものの、張り出し部を有していない状態になっている。２つの露出部分３５ａの間の領域は、電気泳動層３１（マイクロカプセル３２）が残っている状態になっている。露出部分３５ａは、上下導通材１０を介して素子基板２に接続されている。
【００６８】
導通検査を行う際、図１４の二点鎖線で示した２箇所のうち少なくとも一方において、共通電極３５を切断する。このようにすれば、２つの露出部分３５ａの間を導通検査した際に、必ず表示領域７が導通経路となる。二点鎖線部分のいずれについても切断を行わなかった場合には、露出部分と表示領域とが断線している場合であっても、２つの露出部分３５ａを直線で繋ぐ導通経路で導通が取れているだけで良品と判断されてしまうことになるため、当該二点鎖線部分の切断を確実に行っておく必要がある。このように、露出部分３５ａが張り出した構成でなくても、露出部分３５ａと表示領域７との導通検査が可能となる。
【図面の簡単な説明】
【００６９】
【図１】本発明の第１実施形態に係る電気泳動表示装置の構成を示す平面図。
【図２】電気泳動表示装置の構成を示す断面図。
【図３】電気泳動表示装置の製造過程の様子を示す工程図。
【図４】同、工程図。
【図５】同、工程図。
【図６】本発明の第２実施形態に係る電気泳動表示装置の構成を示す平面図。
【図７】電気泳動表示装置の構成を示す断面図。
【図８】本発明の第３実施形態に係る電子機器の一例である腕時計を示す図。
【図９】本実施形態に係る電子機器の一例である電子ペーパーを示す図。
【図１０】本実施形態に係る電子機器の一例である電子ノートを示す図。
【図１１】本発明に係る電気泳動表示装置の他の構成を示す平面図。
【図１２】本発明に係る電気泳動表示装置の他の構成を示す平面図。
【図１３】本発明に係る電気泳動表示装置の他の構成を示す平面図。
【図１４】本発明に係る電気泳動表示装置の一部の構成を示す平面図。
【符号の説明】
【００７０】
１…電気泳動表示装置  ２…素子基板  ３…電気泳動シート  ７…表示領域  ８…非表示領域  １０…上下導通材  ３０…透明基板  ３０ｃ…張出部分  ３１…電気泳動層  ３５…共通電極  ３５ａ、３５ｂ…露出部分  Ｔ…周囲領域
【図１】
2010085619.tif 000003
【図２】
2010085619.tif 000004
【図３】
2010085619.tif 000005
【図４】
2010085619.tif 000006
【図５】
2010085619.tif 000007
【図６】
2010085619.tif 000008
【図７】
2010085619.tif 000009
【図８】
2010085619.tif 000010
【図９】
2010085619.tif 000011
【図１０】
2010085619.tif 000012
【図１１】
2010085619.tif 000013
【図１２】
2010085619.tif 000014
【図１３】
2010085619.tif 000015
【図１４】
2010085619.tif 000016